(57)【特許請求の範囲】
【請求項１】
告知放送信号を受信機に送信する制御装置であり、当該制御装置が設置された施設とは異なる場所にある端末装置に対して通信可能に接続された制御装置であって、
前記端末装置から、前記受信機を一意に識別するための個別アドレスを特定するための個別アドレス情報、及び前記受信機が属するグループを一意に識別するためのグループアドレスを特定するためのグループアドレス情報を受信する受信手段と、
前記受信手段が前記端末装置から前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、
前記グループ設定情報生成手段にて生成された前記グループ設定情報を前記受信機に送信する送信手段と、
を備えた制御装置。
【請求項２】
前記受信手段が前記端末装置から前記個別アドレス情報及び前記グループアドレス情報を受信した場合、当該受信した前記個別アドレス情報から特定される個別アドレスと、前記グループアドレス情報から特定されるグループアドレスとを相互に関連付けて格納するグループアドレス情報格納手段を備える、
請求項１に記載の制御装置
【請求項３】
前記受信手段が前記端末装置から前記個別アドレス情報及び複数の前記グループアドレス情報を受信した場合において、
前記グループ設定情報生成手段は、
前記受信手段にて受信した前記個別アドレス情報から特定される個別アドレス、及び前記複数のグループアドレス情報から特定される複数のグループアドレスを含んだ前記グループ設定情報を生成する、
請求項１又は２に記載の制御装置。
【請求項４】
前記送信手段は、
前記グループ設定情報生成手段にて生成された前記グループ設定情報と併せて告知放送信号を送信する、
請求項１から３のいずれか一項に記載の制御装置。
【請求項５】
前記個別アドレス情報及び前記グループアドレス情報の入力方法に関する案内情報を、前記端末装置に送信する案内手段を備える、
請求項１から４のいずれか一項に記載の制御装置。
【請求項６】
前記案内手段は、
前記送信手段が前記グループ設定情報を前記受信機に送信した旨を、前記端末装置に送信する、
請求項５に記載の制御装置。
【請求項７】
端末装置から受信した情報に基づいて告知放送信号を送信する制御装置であり、当該制御装置が設置された施設とは異なる場所にある前記端末装置に対して通信可能に接続された制御装置と、この告知放送信号を受信する受信機とを、伝送線路を介して接続して構成された告知放送システムにおいて、
前記端末装置は、
前記受信機を一意に識別するための個別アドレスを特定するための個別アドレス情報、及び前記受信機が属するグループを一意に識別するためのグループアドレスを特定するためのグループアドレス情報とを入力するための入力手段と、
前記入力手段にて入力された前記個別アドレス情報及び前記グループアドレス情報を送信するアドレス情報送信手段と、を備え、
前記制御装置は、
前記アドレス情報送信手段から前記個別アドレス情報及び前記グループアドレス情報を受信する受信手段と、
前記受信手段が前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、
前記グループ設定情報生成手段にて生成された前記グループ設定情報を前記受信機に送信する送信手段と、を備え、
前記受信機は、
自己の個別アドレスを格納する個別アドレス格納手段と、
前記制御装置から前記グループ設定情報を受信するグループ設定情報受信手段と、
前記グループ設定情報受信手段が前記グループ設定情報を受信した場合、当該受信した前記グループ設定情報に含まれる個別アドレスが前記個別アドレス格納手段に格納された個別アドレスに合致するか否かを判定し、合致した場合には当該受信した前記グループ設定情報に含まれるグループアドレスを自己に設定する制御手段と、
を備える告知放送システム。
【請求項８】
前記受信機は、
前記グループ設定情報受信手段にて受信した前記グループ設定情報に含まれるグループアドレスを出力するための出力手段を備え、
前記制御手段は、
前記グループ設定情報受信手段が前記グループ設定情報を受信した場合、当該受信したグループ設定情報に含まれる個別アドレスが前記個別アドレス格納手段に格納された個別アドレスに合致するか否かを判定し、合致した場合には当該受信したグループ設定情報に含まれるグループアドレスを前記出力手段によって出力させる、
請求項７に記載の告知放送システム。
【発明の詳細な説明】
【技術分野】
【０００１】
本発明は、制御装置及び告知放送システムに関する。
【背景技術】
【０００２】
センターから複数の住戸に対して各種の告知放送を行うための告知放送システムが普及している。この告知放送システムは、概略的に、センター側に配置されたセンター装置と、各住戸内に設置された受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１（段落００１２）参照）。
【０００３】
この告知放送においては、放送の目的や内容により、全ての住戸ではなく特定の住戸のみを対象に放送したい場合がある。例えば、特定の行政地区に関する情報については当該行政地区の各住戸にのみ放送したり、特定の老人会や婦人会に関する情報については当該老人会や婦人会に入会している各住戸にのみ放送したい場合がある。
【０００４】
このように特定の受信機のみを介して告知放送を行う方法としては、受信機を一意に識別するための個別アドレス（例えば、受信機の工場出荷時に設定される個別アドレス）に基づいて告知放送を行う方法がある。例えば、センター装置は告知放送信号と併せて個別アドレスを送信し、受信機はセンター装置から受信した個別アドレスと自己に予め設定された個別アドレスとが合致するか否かを判定し、合致する場合に告知放送を行う。しかしながら、このような個別アドレスのみを用いた方法では、特定の複数の住戸を対象とした放送を行う場合に、センター装置から個別アドレス毎に告知放送信号を送信しなければならず、当該告知放送信号の送信が複雑となる。
【０００５】
そこで、特定の複数の受信機（住戸）が属するグループを一意に識別するためのグループアドレスに基づいて、特定の住戸に放送を行う方法がある。例えば、センター装置は告知放送信号と併せて所定のグループアドレスを送信し、受信機はセンター装置から受信した所定のグループアドレスと当該受信機に予め設定されたグループアドレスとが合致するか否かを判定し、合致する場合に告知放送を行う。これにより、センター装置ではグループアドレス毎に告知放送信号に含まれる放送データを設定すればよいので、個別アドレスのみを用いた方法に比べて、当該告知放送信号の設定が容易となる。
【０００６】
ここで従来、受信機におけるグループアドレスの設定としては、センター装置から個別アドレスと併せてグループアドレスを設定するための設定データを送信し、受信機においてセンター装置から受信した個別アドレスと当該受信機の個別アドレスとが合致するか否かを判定し、合致する場合にグループアドレスを自己に設定することとしていた。
【先行技術文献】
【特許文献】
【０００７】
【特許文献１】特開平９−８７５３号公報
【発明の概要】
【発明が解決しようとする課題】
【０００８】
しかしながら、上述の如き従来の告知放送システムにおいては、受信機におけるグループアドレスの設定に関して問題があった。例えば、センター装置から設定データを送信するためには、作業者がセンター装置の設置施設に出向いて、個別アドレスの入力やグループアドレスの指定等を行う必要があった。しかしながら、センター装置は役場等の施設に設置される場合が多く、このような施設では入退出の管理が厳しいことや作業者の作業時間帯も制限されるので、顧客の都合に合わせたグループアドレスの設定が困難であった。また、一人の作業者が新設の受信機に対してグループアドレスの設定を行う場合には、この作業者は受信機を住戸に設置した後、当該住戸からセンター装置の設置施設まで出向かなければならないので、グループアドレスの設定に時間と手間がかっていた。
【０００９】
本発明は、上記に鑑みてなされたものであって、作業者が当該制御装置の設置施設に出向くことなく、迅速かつ手間をかけずに、グループアドレスの設定を行うことができる、制御装置及び告知放送システムを提供することを目的とする。
【課題を解決するための手段】
【００１０】
上述した課題を解決し、目的を達成するために、請求項１に記載の制御装置は、告知放送信号を受信機に送信する制御装置であり、当該制御装置が設置された施設とは異なる場所にある端末装置に対して通信可能に接続された制御装置であって、前記端末装置から、前記受信機を一意に識別するための個別アドレスを特定するための個別アドレス情報、及び前記受信機が属するグループを一意に識別するためのグループアドレスを特定するためのグループアドレス情報を受信する受信手段と、前記受信手段が前記端末装置から前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、前記グループ設定情報生成手段にて生成された前記グループ設定情報を前記受信機に送信する送信手段とを備える。
【００１１】
また、請求項２に記載の制御装置は、請求項１に記載の制御装置において、前記受信手段が前記端末装置から前記個別アドレス情報及び前記グループアドレス情報を受信した場合、当該受信した前記個別アドレス情報から特定される個別アドレスと、前記グループアドレス情報から特定されるグループアドレスとを相互に関連付けて格納するグループアドレス情報格納手段を備える。
【００１２】
また、請求項３に記載の制御装置は、請求項１又は２に記載の制御装置において、前記受信手段が前記端末装置から前記個別アドレス情報及び複数の前記グループアドレス情報を受信した場合において、前記グループ設定情報生成手段は、前記受信手段にて受信した前記個別アドレス情報から特定される個別アドレス、及び前記複数のグループアドレス情報から特定される複数のグループアドレスを含んだ前記グループ設定情報を生成する。
【００１３】
また、請求項４に記載の制御装置は、請求項１から３のいずれか一項に記載の制御装置において、前記送信手段は、前記グループ設定情報生成手段にて生成された前記グループ設定情報と併せて告知放送信号を送信する。
【００１４】
また、請求項５に記載の制御装置は、請求項１から４のいずれか一項に記載の制御装置において、前記個別アドレス情報及び前記グループアドレス情報の入力方法に関する案内情報を、前記端末装置に送信する案内手段を備える。
【００１５】
また、請求項６に記載の制御装置は、請求項５に記載の制御装置において、前記案内手段は、前記送信手段が前記グループ設定情報を前記受信機に送信した旨を、前記端末装置に送信する。
【００１６】
また、請求項７に記載の告知放送システムは、端末装置から受信した情報に基づいて告知放送信号を送信する制御装置であり、当該制御装置が設置された施設とは異なる場所にある前記端末装置に対して通信可能に接続された制御装置と、この告知放送信号を受信する受信機とを、伝送線路を介して接続して構成された告知放送システムにおいて、前記端末装置は、前記受信機を一意に識別するための個別アドレスを特定するための個別アドレス情報、及び前記受信機が属するグループを一意に識別するためのグループアドレスを特定するためのグループアドレス情報とを入力するための入力手段と、前記入力手段にて入力された前記個別アドレス情報及び前記グループアドレス情報を送信するアドレス情報送信手段と、を備え、前記制御装置は、前記アドレス情報送信手段から前記個別アドレス情報及び前記グループアドレス情報を受信する受信手段と、前記受信手段が前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、前記グループ設定情報生成手段にて生成された前記グループ設定情報を前記受信機に送信する送信手段と、を備え、前記受信機は、自己の個別アドレスを格納する個別アドレス格納手段と、前記制御装置から前記グループ設定情報を受信するグループ設定情報受信手段と、前記グループ設定情報受信手段が前記グループ設定情報を受信した場合、当該受信した前記グループ設定情報に含まれる個別アドレスが前記個別アドレス格納手段に格納された個別アドレスに合致するか否かを判定し、合致した場合には当該受信した前記グループ設定情報に含まれるグループアドレスを自己に設定する制御手段とを備える。
【００１７】
また、請求項８に記載の告知放送システムは、請求項７に記載の告知放送システムにおいて、前記受信機は、前記グループ設定情報受信手段にて受信した前記グループ設定情報に含まれるグループアドレスを出力するための出力手段を備え、前記制御手段は、前記グループ設定情報受信手段が前記グループ設定情報を受信した場合、当該受信したグループ設定情報に含まれる個別アドレスが前記個別アドレス格納手段に格納された個別アドレスに合致するか否かを判定し、合致した場合には当該受信したグループ設定情報に含まれるグループアドレスを前記出力手段によって出力させる。
【発明の効果】
【００１８】
請求項１に記載の制御装置によれば、送信手段は、グループ設定情報生成手段にて生成されたグループ設定情報であって、受信手段が端末装置から受信した個別アドレス情報から特定される個別アドレス、及びグループアドレス情報から特定されるグループアドレスを含んだグループ設定情報を受信機に送信するので、作業者が制御装置の設置施設に出向くことなく、迅速かつ手間をかけずに、グループアドレスの設定を行うことができる。
【００１９】
また、請求項２に記載の制御装置によれば、制御装置は、受信手段が端末装置から個別アドレス情報及びグループアドレス情報を受信した場合、当該受信した個別アドレス情報から特定される個別アドレスと、グループアドレス情報から特定されるグループアドレスとを相互に関連づけて格納するグループアドレス情報格納手段を備えるので、これら個別アドレス及びグループアドレスに基づいて告知放送の管理を行うことができ、当該告知放送の管理を容易にできる。
【００２０】
また、請求項３に記載の制御装置によれば、受信手段が端末装置から個別アドレス情報及び複数のグループアドレス情報を受信した場合において、グループ設定情報生成手段は、当該受信した個別アドレス情報から特定される個別アドレス、及び複数のグループアドレス情報から特定される複数のグループアドレスを含んだグループ設定情報を生成するので、受信機に対して複数のグループアドレスを一括して設定することができ、作業の効率化を図ることができる。
【００２１】
また、請求項４に記載の制御装置によれば、送信手段は、グループ設定情報生成手段にて生成されたグループ設定情報と併せて告知放送信号を送信するので、受信機がグループ設定情報を受信することを確認しながら、当該受信機が告知放送を出力することも確認でき、効率的な受信機の動作テストが可能となる。
【００２２】
また、請求項５に記載の制御装置によれば、制御装置は、個別アドレス情報及びグループアドレス情報の入力方法に関する案内情報を、端末装置に送信する案内手段を備えるので、グループアドレスの設定に不慣れな者に対して個別アドレス情報及びグループアドレス情報の入力を案内することができ、容易にグループアドレスの設定を行わせることができる。
【００２３】
また、請求項６に記載の制御装置によれば、案内手段は、送信手段がグループ設定情報を受信機に送信した旨を、端末装置に送信するので、端末装置の操作者に対して送信手段がグループ設定情報を受信機に送信したことを案内でき、制御装置の処理が適切に行われたことを当該操作者が容易に確認できる。
【００２４】
また、請求項７に記載の告知放送システムによれば、グループ設定情報受信手段がグループ設定情報を受信した場合、制御手段は、当該受信したグループ設定情報に含まれる個別アドレスが個別アドレス格納手段に格納された個別アドレスに合致するか否かを判定し、合致する場合には当該受信したグループ設定情報に含まれるグループアドレスを自己に設定するので、作業者が制御装置の設置施設に出向くことなく、迅速かつ手間をかけずに、受信機に対するグループアドレスの設定を行うことができる。
【００２５】
また、請求項８に記載の告知放送システムによれば、グループ設定情報受信手段がグループ設定情報を受信した場合、制御手段は、当該受信したグループ設定情報に含まれる個別アドレス情報が個別アドレス格納手段に格納された個別アドレスに合致するか否かを判定し、合致する場合には当該受信したグループ設定情報に含まれるグループアドレス情報を出力手段に出力させるので、受信機を設置する作業者等に対してグループアドレスを案内でき、当該受信機が属するグループアドレスを当該作業者が容易に確認できる。
【図面の簡単な説明】
【００２６】
【図１】本実施の形態に係る告知放送システムの構成を示すブロック図である。
【図２】グループ設定情報の構成例を示す図である。
【図３】グループアドレス情報テーブルに格納される情報の内容を例示した表である。
【図４】受信機を示す正面図である。
【図５】制御装置が実行する処理のフローチャートである。
【図６】受信機が実行する処理のフローチャートである。
【発明を実施するための形態】
【００２７】
以下に添付図面を参照して、この発明に係る制御装置及び告知放送システムの実施の形態を詳細に説明する。最初に、この制御装置を備えて構成された告知放送システムの全体構成を説明し、次に、制御装置の構成を説明し、及び制御装置が実行するグループ設定処理について説明し、最後に本実施の形態に対する変形例について説明する。ただし、この実施の形態によって本発明が限定されるものではない。なお、本実施の形態に係る制御装置の設置対象や適用対象は任意であるが、以下では、役場内に設置された制御装置に適用した場合を例として説明を行う。
【００２８】
〔実施の形態〕
まず実施の形態について説明する。
【００２９】
（構成）
最初に、この実施の形態に係る告知放送システムの構成を説明する。図１は本実施の形態に係る告知放送システムの構成を示すブロック図である。図１に示すように、告知放送システム１は、役場内に設置されたセンターシステム１０、各住戸内に設置された受信機（告知放送受信機）２０、及びセンターシステム１０から送信された信号を受信機２０に送信する伝送系統４０を備えて構成されている。このうち、センターシステム１０は告知放送に関する情報を管理するものであり、このセンターシステム１０に対しては、電話回線網５０を介して電話機６０が接続可能となっている。また、伝送系統４０は、ヘッドエンド４１、このヘッドエンド４１から各住戸の受信機２０に至る伝送線路４２、さらに、この伝送線路４２に配置されたアンプ４３、分配増幅器４４、分配器４６、及び保安器４８を備えて構成されている。ヘッドエンド４１は、センターシステム１０から送信された信号を受信し、この信号をレベル増幅した上で伝送線路４２に送出する増幅送信手段である。伝送線路４２は、告知放送信号を送信する送信線路であり、例えば、ＣＡＴＶ信号を伝送するＣＡＴＶ伝送線路（同軸ケーブル）を備えて構成される。アンプ４３は、伝送線路４２を流れる信号を増幅する増幅手段である。分配増幅器４４は、信号を増幅した上で、各住戸に向けて分配する分配増幅手段である。分配器４６は、分配増幅器４４にて増幅された信号を各住戸に向けて分配する分配手段である。保安器４８は、各住戸に設けられ、伝送線路４２に乗って受信機２０に至る直流成分を制御する。なお、特記する構成を除き、電話機（固定電話、公衆電話、及び携帯電話を含む）６０、電話回線網５０、センターシステム１０、伝送系統４０、及び受信機２０は、公知の装置又は公知のシステムと同様に構成することができる。
【００３０】
（構成−電話機）
次に、電話機６０の電気的構成について説明する。電話機６０は、個別アドレス情報及びグループアドレス情報を送信するための端末装置である。ここで、「個別アドレス情報」とは、受信機２０を一意に識別するための個別アドレスを特定するための情報である。また、「グループアドレス情報」とは、受信機２０が属するグループを一意に識別するためのグループアドレスを特定するための情報である。この電話機６０は、入力部、電話通信部、及び出力部を備えて構成されている（図示省略）。入力部は、個別アドレス情報及びグループアドレス情報を入力するための入力手段であり、例えば公知の押しボタン、タッチパネル等を備えて構成される。電話通信部は、入力部にて入力された個別アドレス情報及びグループアドレス情報を電話回線網５０を介して送信するアドレス情報送信手段であると共に、後述する制御装置７０の案内部７４から後述する案内情報を電話回線網５０を介して受信する案内情報受信手段である。出力部は、電話通信部にて受信された案内情報を出力する案内出力手段であり、例えば公知のスピーカ等を備えて構成される。
【００３１】
（構成−センターシステム）
次に、センターシステム１０の電気的構成について説明する。図１に示すように、センターシステム１０は、表示部１１、マイク１２、ＢＧＭ源１３、及び制御装置７０を備えて構成されている。
【００３２】
表示部１１は、所要の情報を操作者に向けて表示する表示手段であり、例えば、図示しないモニタ及び表示灯を含んで構成されている。マイク１２は、告知放送用の音声を入力するための音声入力手段である。ＢＧＭ源１３は、告知放送用の背景音楽の音源になる音源手段である。
【００３３】
（構成−センターシステム−制御装置）
制御装置７０は、告知放送信号を受信機２０に送信するものである。図１に示すように、この制御装置７０は、操作部７１、電話受信部７２、送信部７３、案内部７４、制御部７５、及び記憶部７６を備えて構成されている。
【００３４】
操作部７１は、当該制御装置７０に対する各種の操作を行うための操作手段であり、例えば、各種の図示しないスイッチを含んで構成されている。電話受信部７２は、電話機６０から個別アドレス情報及びグループアドレス情報を電話回線網５０を介して受信する受信手段である。送信部７３は、後述するグループ設定情報生成部７５ａにて生成された後述するグループ設定情報をヘッドエンド４１に送信する送信手段である。案内部７４は、案内情報を電話回線網５０を介して当該電話機６０に送信する案内手段である。ここで、「案内情報」とは、個別アドレス情報及びグループアドレス情報の入力方法に関する情報である。
【００３５】
制御部７５は、当該制御装置７０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている（以下、制御部２９も同様）。この制御部７５は、機能概念的に、グループ設定情報生成部７５ａを備える。グループ設定情報生成部７５ａは、電話受信部７２が電話機６０から個別アドレス情報及びグループアドレス情報を受信した場合、当該受信した個別アドレス情報から特定される個別アドレス、及びグループアドレス情報から特定されるグループアドレスを含んだグループ設定情報であって、受信機２０に対してグループアドレスを設定するためのグループ設定情報を生成するグループ設定情報生成手段である。なお、この制御部７５によって実行される処理の詳細については後述する。
【００３６】
ここで、グループ設定情報の構造について説明する。なお、このグループ設定情報はあくまで例示であり、以下に示す情報以外の情報を含むことができ、あるいは、以下に示す情報の一部を除外することもできる。図２は、グループ設定情報（電文データ）の構成例を示す図である。図２に示すように、グループ設定情報は、データ項目「制御コード」、「個別アドレス」及び「グループアドレス」を含んで構成されている。項目「制御コード」には、受信機２０を制御するための文字コードが格納されており、例えば「１」等が格納されている。項目「個別アドレス」には、個別アドレスが格納されており、例えば、「００００１」等が格納されている。項目「グループアドレス」には、グループアドレスが格納されており、例えば「Ｇ１０００１」等が格納されている。
【００３７】
図１に戻り、記憶部７６は、当該制御装置７０の各種制御に必要な情報を記録する記録手段である。この記憶部７６の具体的構成は任意であるが、例えば、ＲＡＭ（Ｒａｎｄｏｍ  Ａｃｃｅｓｓ  Ｍｅｍｏｒｙ）やフラッシュメモリを用いることができる。この記憶部７６は、電話受信部７２が電話機６０から受信した個別アドレス情報から特定される個別アドレスと、グループアドレス情報から特定されるグループアドレスとを相互に関連づけて格納するグループアドレス情報テーブル７６ａを備えている。
【００３８】
図３は、グループアドレス情報テーブル７６ａに格納される情報の内容を例示した表である。図３に示すように、グループアドレス情報テーブル７６ａには、テーブル項目「グループアドレス」、「グループ名」、及び「個別アドレス」に対応する情報が相互に関連付けて格納される。項目「グループアドレス」に対応して格納される情報は、グループアドレス情報であり、例えば「Ｇ１０００１」「Ｇ２０００１」等が格納される。このグループアドレス情報としては、グループアドレス自体に限られず、グループアドレスを間接的に表すもの（例えば、グループアドレスを一意に識別するためのグループアドレスＩＤ等）も含み得るが、ここではグループアドレス自体を使用している場合について説明する（以下、個別アドレス情報についても同様）。項目「グループ名」に対応して格納される情報は、受信機２０が属するグループの名称を特定するグループ名情報であり、例えば「行政地区」、「老人会」等が格納される。項目「個別アドレス」に対応して格納される情報は、個別アドレス情報であり、例えば「００００１」、「００００３」等が格納されるが、後述する制御装置７０の処理が行われる前には、項目「個別アドレス」に対応する情報は空欄とされている。なお、グループアドレス情報テーブル７６ａは、特許請求の範囲におけるグループアドレス情報格納手段に対応するものである。
【００３９】
（構成−受信機）
図１に戻り、受信機２０の電気的構成について説明する。図１に示したように、受信機２０は、受信部２１、音声切換え部２２、音声記録部２３、音量調整部２４、アンプ２５、スピーカ２６、操作部２７、表示部２８、制御部２９、及び記憶部３０を備えている。
【００４０】
受信部３０は、制御装置７０から送信された告知放送信号を復調する告知放送復調手段であり、音声情報を音声切換え部２２に出力すると共にグループ設定情報を制御部２９に出力する。音声切換え部２２は、復調部２１から出力された音声情報を音声記録部２３又は音量調整部２４に出力し、あるいは、音声記録部２３から出力された音声情報を音量調整部２４に出力する音声切換え手段である。音声記録部２３は、音声情報を所定回数だけ録音する音声情報格納手段である。音量調整部２４は、音声切換え部２２から出力された音声情報の音量を調整してアンプ２５に出力する。この音声情報は、アンプ２５にて増幅された後、スピーカ２６から出力される。このスピーカ２６は、音声記録部２３にて録音された音声情報を再生するための音声出力手段である。操作部２７は、当該受信機２０に対する各種の操作を行うための操作手段である。表示部２８は、所要の情報を表示するための表示手段である。なお、受信部２１は、特許請求の範囲におけるグループ設定情報受信手段に対応するものである。また、スピーカ２６及び表示部２８は、特許請求の範囲における出力手段を構成するものである。
【００４１】
記憶部３０は、当該受信機２０の各種制御に必要な情報を記録する記録手段である。この記憶部３０の具体的構成は任意であるが、情報を書換え可能な記録媒体を用いて構成され、例えば、フラッシュメモリ等の不揮発性記録媒体を用いることができる。特に、記憶部３０は、自己の個別アドレスを格納する個別アドレス格納手段である。
【００４２】
制御部２９は、当該受信機２０の各部を制御する制御手段である。また、この制御部２９は、この受信部２１がグループ設定情報を受信した場合、当該受信したグループ設定情報に含まれる個別アドレスが記憶部３０に格納された個別アドレスに合致するか否かを判定し、合致した場合には当該受信したグループ設定情報に含まれるグループアドレスを自己に設定する制御手段である。なお、この制御部２９によって実行される処理の詳細については後述する。
【００４３】
図４は、受信機２０の正面図である。受信機２０は、方形箱状の筐体の内部に、上述した当該受信機２０の各部のうち、操作部２７、及び表示部２８を除く各部を収容して構成されている。操作部２７としては、具体的には、ＦＭ放送を選択するためのＦＭ放送選択スイッチ２７ａ、録音された告知放送の再生を指示するための告知再生スイッチ２７ｂ、及び放送音量を調節するためのボリュームスイッチ２７ｃが設けられている。表示部２８としては、具体的には、電源ＯＮ時に点灯する電源表示灯２８ａ、緊急放送時に点灯又は点滅する緊急放送表示灯２８ｂ、一般放送時に点灯又は点滅する一般放送表示灯２８ｃ、及び受信部２１にて受信された各種信号の受信状態、又は受信部２１にて受信したグループ設定情報に含まれるグループアドレス情報を表示する状態表示部２８ｄ（例えば公知の１桁の７セグメント表示及びドット表示を行う７セグメントＬＥＤ（Ｌｉｇｈｔ  Ｅｍｉｔｔｉｎｇ  Ｄｉｏｄｅ））を備える。
【００４４】
（処理）
次に、このように構成された制御装置７０及び受信機２０が実行する処理について説明する。図５は制御装置７０が実行する処理のフローチャートである。図６は受信機２０が実行する処理のフローチャートである。これらの処理の実行タイミングは任意で、例えば制御装置７０及び受信機２０の電源が投入された場合に実行される。なお、以下の説明では、制御装置７０のステップを「ＳＡ」、及び受信機２０のステップを「ＳＢ」と略記する。
【００４５】
最初に、制御装置７０の処理について説明する。図５に示すように、制御装置７０の制御部７５は、電話受信部７２が電話機６０からグループアドレスの設定要求を電話回線網５０を介して受信したか否かを監視する（例えば、電話機６０から制御装置７０へのアクセスがあった後に、電話受信部７２が当該電話機６０からグループアドレスの設定処理を行うためのパスワードを、電話回線網５０を介して受信したか否かを監視する等）（ＳＡ１）。
【００４６】
ここで、電話受信部７２が電話機６０からグループアドレスの設定要求を電話回線網５０を介して受信した場合（ＳＡ１、Ｙｅｓ）、制御装置７０の制御部７５は、案内部７４によって案内情報を電話回線網５０を介して送信させる（ＳＡ２）。
【００４７】
この案内情報の具体的な内容については任意であり、例えば、まず、案内部７４は「個別アドレス情報を入力して下さい」との音声メッセージに関する情報を電話機６０に送信する。次いで、制御装置７０の電話受信部７２が電話機６０から個別アドレス情報を受信した後、案内部７４は「グループアドレス情報を入力して下さい」との音声メッセージに関する情報を電話機６０に送信する。このように、制御装置７０の案内部７４は、個別アドレス情報及びグループアドレス情報の入力方法に関する案内情報を当該電話機６０に送信するので、グループアドレスの設定に不慣れな者に対して個別アドレス情報及びグループアドレス情報の入力を案内することができ、容易にグループアドレスの設定を行わせることができる。
【００４８】
次に、制御装置７０の制御部７５は、電話受信部７２が電話機６０から個別アドレス情報及びグループアドレス情報を電話回線網５０を介して受信したか否かを監視する（ＳＡ３）。
【００４９】
その結果、電話受信部７２が電話機６０から個別アドレス情報及びグループアドレス情報を電話回線網５０を介して受信した場合（ＳＡ３、Ｙｅｓ）、制御装置７０の制御部７５は、当該受信した個別アドレス情報から特定される個別アドレスと、及びグループアドレス情報から特定されるグループアドレスとをグループアドレス情報テーブル７６ａに相互に関連付けて記憶させる（ＳＡ４）。具体的には、グループアドレス情報テーブル７６ａにおいて、項目「グループアドレス」にグループアドレス情報と、項目「グループ名」にグループ名情報とが予め記憶されている場合に、制御装置７０の制御部７５は、電話機６０から受信したグループアドレス情報（ここでは、グループアドレス自体）と対応する項目「グループアドレス」に格納されているグループアドレス情報と相互に関連付けて、項目「個別アドレス」に個別アドレス情報（ここでは、個別アドレス自体）を記憶させる。これにより、これら個別アドレス及びグループアドレスに基づいて告知放送の管理を行うことができ、当該告知放送の管理を容易にできる。
【００５０】
次いで、制御装置７０のグループ設定情報生成部７５ａは、ＳＡ４にて記憶された個別アドレス及びグループアドレスに加えて、受信機２０にグループアドレスを設定するための所定の制御コード（文字コード）を含んだグループ設定情報を生成し（ＳＡ５）、当該生成したグループ設定情報を、送信部７３によってヘッドエンド４１に送信させる（ＳＡ６）。これにより、制御装置７０の設置施設に作業者が出向くことなく、迅速かつ手間をかけずに、受信機２０に対するグループアドレスの設定を行うことができる。
【００５１】
ここで、グループ設定情報の生成方法は任意であるが、例えば、ＳＡ３の処理にて、電話受信部７２が電話機６０から個別アドレス情報及び複数のグループアドレス情報を受信した場合には（ＳＡ３、Ｙｅｓ）、ＳＡ５の処理にて、制御装置７０のグループ設定情報生成部７５ａは、当該個別アドレス情報から特定される個別アドレス、及び当該複数のグループアドレス情報から特定される複数のグループアドレス（例えば最大３２個のグループアドレス情報）を含んだグループ設定情報を生成する（例えば、図２に示すように、「個別アドレス」に「００００１」が格納され、「グループアドレス」に「Ｇ１０００１」、「Ｇ２０００１」が格納されたグループ設定情報を生成する）。これにより、１つの受信機２０に対して複数のグループアドレスを一括して設定することができ、作業の効率化を図ることができる。
【００５２】
続いて、ＳＡ６の処理後、制御装置７０の制御部７５は、案内部７４によって、送信部７３がグループ設定情報を受信機２０に送信した旨（例えば、「グループ設定情報が送信されました」等）を電話回線網５０を介して送信した旨を送信させる（ＳＡ７）。これにより、電話機６０の操作者に対して送信部７３がグループ設定情報を受信機２０に送信したことを案内でき、制御装置７０の処理が適切に行われたことを当該操作者が容易に確認できる。これにて、制御装置７０の処理が終了する。
【００５３】
次に、受信機２０の処理について説明する。図６に示すように、受信機２０の制御部２９は、受信部２１が制御装置７０から何らかの情報を伝送線路４２を介して受信したか否かを監視する（ＳＢ１）。
【００５４】
ここで、受信部２１が制御装置７０から何らかの情報を伝送線路４２を介して受信した場合（ＳＢ１、Ｙｅｓ）、受信機２０の制御部２９は、当該受信した情報に含まれる個別アドレスが記憶部３０に格納された個別アドレスに合致するか否かを判定する（ＳＢ２）。
【００５５】
その結果、受信部２１が受信した情報に含まれる個別アドレスが記憶部３０に格納された個別アドレスに合致する場合（ＳＢ２、Ｙｅｓ）、受信機２０の制御部２９は、受信部２１が受信した情報に含まれる制御コードがグループアドレスを受信機２０に設定するための所定コード（例えば「１」等）であるか否かを判定し、かつ受信部２１が受信した情報からグループアドレスが認識されるか否かを判定する（ＳＢ３）。
【００５６】
その結果、受信部２１が受信した情報に含まれる制御コードが所定コードであると判定され、かつ受信部２１が受信した情報からグループアドレスが認識されると判定された場合に（ＳＢ３、Ｙｅｓ）、受信機２０の制御部２９は、受信部２１が受信した情報に含まれるグループアドレス（例えば、「Ｇ１０００１」、「Ｇ２０００１」）を自己に設定し（具体的には、記憶部３０に記憶し）（ＳＢ４）、当該設定したグループアドレスをスピーカ２６や状態表示部２８ｄ等によって出力させる（ＳＢ５）。
【００５７】
ここで、グループアドレス情報の出力方法は任意であり、例えば、受信機２０の制御部２９は、このグループアドレス情報をスピーカ２６によって音声出力させる（例えば、グループアドレス情報が「Ｇ１０００１」、「Ｇ２０００１」である場合に、「グループアドレス情報「Ｇ１０００１」、「Ｇ２０００１」を設定しました」との音声メッセージを出力させる）。あるいは、受信機２０の制御部２９は、このグループアドレス情報を状態表示部２８ｄによって記号で表示させる（例えば、グループアドレス情報が「Ｇ１０００１」、「Ｇ２０００１」である場合に、状態表示部２８ｄによって、「１．」、「Ｇ」、「１」、「０」、「０」、「０」、「１」、「２．」、「Ｇ」、「２」、「０」、「０」、「０」、「１」を順に表示させる）。これにより、例えば受信機２０を設置した作業者等に対してグループアドレス情報を案内でき、当該受信機２０が属するグループアドレスをこの作業者が容易に確認できる。
【００５８】
そして、受信部２１が受信した情報に含まれる個別アドレスが記憶部３０に格納された個別アドレスに合致しないと判定された場合（ＳＢ２、Ｎｏ）、受信部２１が受信した情報に含まれる制御コードが所定コードでないと判定され、若しくは受信部２１が受信した情報からグループアドレスが認識されないと判定された場合に（ＳＢ３、Ｎｏ）、又はＳＢ５の処理が終了した場合、受信機２０の処理が終了する。
【００５９】
（効果）
このように実施の形態によれば、制御装置７０の送信部７３が、グループ設定情報生成部７５ａにて生成されたグループ設定情報であって、制御装置７０の電話受信部７２が電話機６０から受信した個別アドレス情報から特定される個別アドレス、及びグループアドレス情報から特定されるグループアドレスを含んだグループ設定情報を受信機２０に送信するので、作業者が制御装置７０の設置施設に出向くことなく、迅速かつ手間をかけずに、グループアドレスの設定を行うことができる。
【００６０】
また、制御装置７０は、電話受信部７２が電話機６０から個別アドレス情報及びグループアドレス情報を受信した場合、当該受信した個別アドレス情報から特定される個別アドレスと、グループアドレス情報から特定されるグループアドレスとを相互に関連づけて格納するグループアドレス情報テーブル７６ａを備えるので、これら個別アドレス及びグループアドレスに基づいて告知放送の管理を行うことができ、当該告知放送の管理を容易にできる。
【００６１】
また、制御装置７０の電話受信部７２が電話機６０から個別アドレス情報及び複数のグループアドレス情報を受信した場合において、制御装置７０のグループ設定情報生成部７５ａは、当該受信した個別アドレス情報から特定される個別アドレス、及び複数のグループアドレス情報から特定される複数のグループアドレスを含んだグループ設定情報を生成するので、受信機２０に対して複数のグループアドレスを一括して設定することができ、作業の効率化を図ることができる。
【００６２】
また、制御装置７０は、個別アドレス情報及びグループアドレス情報の入力方法に関する案内情報を、電話機６０に送信する案内部７４を備えるので、グループアドレスの設定に不慣れな者に対して個別アドレス情報及びグループアドレス情報の入力を案内することができ、容易にグループアドレスの設定を行わせることができる。
【００６３】
また、制御装置７０の案内部７４は、送信部７３がグループ設定情報を受信機２０に送信した旨を、電話機６０に送信するので、電話機６０の操作者に対して送信部７３がグループ設定情報を受信機２０に送信したことを案内でき、制御装置７０の処理が適切に行われたことを当該操作者が容易に確認できる。
【００６４】
また、受信機２０の制御部２９は、受信部２１がグループ設定情報を受信した場合、当該受信したグループ設定情報に含まれる個別アドレスが記憶部３０に格納された個別アドレスに合致するか否かを判定し、合致する場合には当該受信したグループ設定情報に含まれるグループアドレスを自己に設定するので、作業者が制御装置７０の設置施設に出向くことなく、迅速かつ手間をかけずに、受信機２０に対するグループアドレスの設定を行うことができる。
【００６５】
また、受信機２０の制御部２９は、受信部２１がグループ設定情報を受信した場合、当該受信したグループ設定情報に含まれる個別アドレス情報が記憶部３０に格納された個別アドレスに合致するか否かを判定し、合致する場合には当該受信したグループ設定情報に含まれるグループアドレスをスピーカ２６や状態表示部２８ｄ等に出力させるので、受信機２０を設置する作業者等に対してグループアドレスを案内でき、当該受信機２０が属するグループアドレスを当該作業者が容易に確認できる。
【００６６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６８】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【００６９】
（制御装置及び受信機の処理対象について）
また、上述の実施の形態では、制御装置７０及び受信機２０が実行する処理の対象はグループアドレスであると説明したが、例えば、受信機２０で聴取可能なＦＭラジオ放送の放送周波数を設定変更するためのデータを処理対象としてもよい。
【００７０】
（端末装置について）
また、上述の実施の形態では、端末装置は電話機６０であると説明したが、これに限られず、例えば、消防局、公民館等の施設に配置され、制御装置７０と有線又は無線のＬＡＮで接続されたサブセンターシステムの制御装置であってもよい。具体的には、サブセンターシステムの制御装置においては、当該制御装置の操作者によって当該制御装置の操作部を介して設定された個別アドレス情報及びグループアドレス情報を、有線又は無線のＬＡＮを介してセンターシステムの制御装置７０に向けて送信する。
【００７１】
（状態表示部について）
上述した実施の形態では、状態表示部２８ｄは、公知の１桁の７セグメント表示及びドット表示を行う７セグメントＬＥＤであると説明したが、これに限られない。例えば、状態表示部２８ｄは、グループアドレス情報をテキスト形式で表示する液晶ディスプレイであってもよい（例えば、グループアドレス情報が「Ｇ１０００１」の場合に、「Ｇ１０００１」をテキスト形式で表示する）。
【００７２】
（制御装置の処理について）
また、上述の実施の形態では、ＳＡ１の処理後、ＳＡ２の処理において、制御装置７０の制御部７５は、案内部７４によって案内情報を電話回線網５０を介して送信させると説明したが、例えば、特定の者のみがグループアドレスの設定を行えるようにしてもよく、例えば、ＳＡ１の処理後、電話受信部７２からグループアドレスの設定を行う権限を認証するためのパスワードに関する情報を受信した場合にのみ、制御装置７０の制御部７５は、以降の処理に進むようにしてもよい。これにより、グループアドレスの設定におけるセキュリティを強化することができる。
【００７３】
また、上述の実施の形態では、ＳＡ６の処理において、制御装置７０の制御部７５は、制御装置７０のグループ設定情報生成部７５ａにて生成したグループ設定情報を、送信部７３によってヘッドエンド４１に送信させると説明したが、これに限られず、例えば、制御装置７０の制御部７５は、当該グループ設定情報と併せて告知放送信号を送信してもよい。この告知放送信号としては、例えば、制御装置７０の記憶部７６に記憶されている告知放送信号であって、グループ設定情報に含まれるグループアドレスに対応する試験放送用の告知放送信号であってもよい。あるいは、グループ設定情報に含まれるグループアドレスのうちの一つと対応する告知放送信号であって、制御装置７０の記憶部７６に記憶されている最近更新された放送に関する告知放送信号であってもよい。これにより、受信機２０がグループ設定情報を受信することを確認しながら、当該受信機２０が告知放送を出力することも確認でき、効率的な受信機２０の動作テストが可能となる。
（付記）
付記１の制御装置は、告知放送信号を受信機に送信する制御装置であって、端末装置から、前記受信機を一意に識別するための個別アドレスを特定するための個別アドレス情報、及び前記受信機が属するグループを一意に識別するためのグループアドレスを特定するためのグループアドレス情報を受信する受信手段と、前記受信手段が前記端末装置から前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、前記グループ設定情報生成手段にて生成された前記グループ設定情報を前記受信機に送信する送信手段とを備える。
また、付記２の制御装置は、付記１に記載の制御装置において、前記受信手段が前記端末装置から前記個別アドレス情報及び前記グループアドレス情報を受信した場合、当該受信した前記個別アドレス情報から特定される個別アドレスと、前記グループアドレス情報から特定されるグループアドレスとを相互に関連付けて格納するグループアドレス情報格納手段を備える。
また、付記３の制御装置は、付記１又は２に記載の制御装置において、前記受信手段が前記端末装置から前記個別アドレス情報及び複数の前記グループアドレス情報を受信した場合において、前記グループ設定情報生成手段は、前記受信手段にて受信した前記個別アドレス情報から特定される個別アドレス、及び前記複数のグループアドレス情報から特定される複数のグループアドレスを含んだ前記グループ設定情報を生成する。
また、付記４の制御装置は、付記１から３のいずれか一項に記載の制御装置において、前記送信手段は、前記グループ設定情報生成手段にて生成された前記グループ設定情報と併せて告知放送信号を送信する。
また、付記５の制御装置は、付記１から４のいずれか一項に記載の制御装置において、前記個別アドレス情報及び前記グループアドレス情報の入力方法に関する案内情報を、前記端末装置に送信する案内手段を備える。
また、付記６の制御装置は、付記５に記載の制御装置において、前記案内手段は、前記送信手段が前記グループ設定情報を前記受信機に送信した旨を、前記端末装置に送信する。
また、付記７の告知放送システムは、端末装置から受信した情報に基づいて告知放送信号を送信する制御装置と、この告知放送信号を受信する受信機とを、伝送線路を介して接続して構成された告知放送システムにおいて、前記端末装置は、前記受信機を一意に識別するための個別アドレスを特定するための個別アドレス情報、及び前記受信機が属するグループを一意に識別するためのグループアドレスを特定するためのグループアドレス情報とを入力するための入力手段と、前記入力手段にて入力された前記個別アドレス情報及び前記グループアドレス情報を送信するアドレス情報送信手段と、を備え、前記制御装置は、前記アドレス情報送信手段から前記個別アドレス情報及び前記グループアドレス情報を受信する受信手段と、前記受信手段が前記個別アドレス情報及び前記グループアドレス情報を受信した場合、当該受信した個別アドレス情報から特定される個別アドレス、及び当該受信したグループアドレス情報から特定されるグループアドレスを含んだグループ設定情報であって、前記受信機に対して前記グループアドレス情報から特定されたグループアドレスを設定するためのグループ設定情報を生成するグループ設定情報生成手段と、前記グループ設定情報生成手段にて生成された前記グループ設定情報を前記受信機に送信する送信手段と、を備え、前記受信機は、自己の個別アドレスを格納する個別アドレス格納手段と、前記制御装置から前記グループ設定情報を受信するグループ設定情報受信手段と、前記グループ設定情報受信手段が前記グループ設定情報を受信した場合、当該受信した前記グループ設定情報に含まれる個別アドレスが前記個別アドレス格納手段に格納された個別アドレスに合致するか否かを判定し、合致した場合には当該受信した前記グループ設定情報に含まれるグループアドレスを自己に設定する制御手段とを備える。
また、付記８の告知放送システムは、付記７に記載の告知放送システムにおいて、前記受信機は、前記グループ設定情報受信手段にて受信した前記グループ設定情報に含まれるグループアドレスを出力するための出力手段を備え、前記制御手段は、前記グループ設定情報受信手段が前記グループ設定情報を受信した場合、当該受信したグループ設定情報に含まれる個別アドレスが前記個別アドレス格納手段に格納された個別アドレスに合致するか否かを判定し、合致した場合には当該受信したグループ設定情報に含まれるグループアドレスを前記出力手段によって出力させる。
（付記の効果）
付記１に記載の制御装置によれば、送信手段は、グループ設定情報生成手段にて生成されたグループ設定情報であって、受信手段が端末装置から受信した個別アドレス情報から特定される個別アドレス、及びグループアドレス情報から特定されるグループアドレスを含んだグループ設定情報を受信機に送信するので、作業者が制御装置の設置施設に出向くことなく、迅速かつ手間をかけずに、グループアドレスの設定を行うことができる。
また、付記２に記載の制御装置によれば、制御装置は、受信手段が端末装置から個別アドレス情報及びグループアドレス情報を受信した場合、当該受信した個別アドレス情報から特定される個別アドレスと、グループアドレス情報から特定されるグループアドレスとを相互に関連づけて格納するグループアドレス情報格納手段を備えるので、これら個別アドレス及びグループアドレスに基づいて告知放送の管理を行うことができ、当該告知放送の管理を容易にできる。
また、付記３に記載の制御装置によれば、受信手段が端末装置から個別アドレス情報及び複数のグループアドレス情報を受信した場合において、グループ設定情報生成手段は、当該受信した個別アドレス情報から特定される個別アドレス、及び複数のグループアドレス情報から特定される複数のグループアドレスを含んだグループ設定情報を生成するので、受信機に対して複数のグループアドレスを一括して設定することができ、作業の効率化を図ることができる。
また、付記４に記載の制御装置によれば、送信手段は、グループ設定情報生成手段にて生成されたグループ設定情報と併せて告知放送信号を送信するので、受信機がグループ設定情報を受信することを確認しながら、当該受信機が告知放送を出力することも確認でき、効率的な受信機の動作テストが可能となる。
また、付記５に記載の制御装置によれば、制御装置は、個別アドレス情報及びグループアドレス情報の入力方法に関する案内情報を、端末装置に送信する案内手段を備えるので、グループアドレスの設定に不慣れな者に対して個別アドレス情報及びグループアドレス情報の入力を案内することができ、容易にグループアドレスの設定を行わせることができる。
また、付記６に記載の制御装置によれば、案内手段は、送信手段がグループ設定情報を受信機に送信した旨を、端末装置に送信するので、端末装置の操作者に対して送信手段がグループ設定情報を受信機に送信したことを案内でき、制御装置の処理が適切に行われたことを当該操作者が容易に確認できる。
また、付記７に記載の告知放送システムによれば、グループ設定情報受信手段がグループ設定情報を受信した場合、制御手段は、当該受信したグループ設定情報に含まれる個別アドレスが個別アドレス格納手段に格納された個別アドレスに合致するか否かを判定し、合致する場合には当該受信したグループ設定情報に含まれるグループアドレスを自己に設定するので、作業者が制御装置の設置施設に出向くことなく、迅速かつ手間をかけずに、受信機に対するグループアドレスの設定を行うことができる。
また、付記８に記載の告知放送システムによれば、グループ設定情報受信手段がグループ設定情報を受信した場合、制御手段は、当該受信したグループ設定情報に含まれる個別アドレス情報が個別アドレス格納手段に格納された個別アドレスに合致するか否かを判定し、合致する場合には当該受信したグループ設定情報に含まれるグループアドレス情報を出力手段に出力させるので、受信機を設置する作業者等に対してグループアドレスを案内でき、当該受信機が属するグループアドレスを当該作業者が容易に確認できる。
【符号の説明】
【００７４】
１  告知放送システム
１０  センターシステム
１１  表示部
１２  マイク
１３  ＢＧＭ源
２０  受信機
２１  受信部
２２  音声切換え部
２３  音声記録部
２４  音量調整部
２５、４３  アンプ
２６  スピーカ
２７、７１  操作部
２７ａ  ＦＭ放送選択スイッチ
２７ｂ  告知再生スイッチ
２７ｃ  ボリュームスイッチ
２８  表示部
２８ａ  電源表示灯
２８ｂ  緊急放送表示灯
２８ｃ  一般放送表示灯
２８ｄ  状態表示部
２９、７５  制御部
３０、７６  記憶部
４０  伝送系統
４１  ヘッドエンド
４２  伝送線路
４４  分配増幅器
４６  分配器
４８  保安器
５０  電話回線網
６０  電話機
７０  制御装置
７２  電話受信部
７３  送信部
７４  案内部
７５ａ  グループ設定情報生成部
７６ａ  グループアドレス情報テーブル
【図１】
0005709595.tif 000002
【図２】
0005709595.tif 000003
【図３】
0005709595.tif 000004
【図４】
0005709595.tif 000005
【図５】
0005709595.tif 000006
【図６】
0005709595.tif 000007